(57)【要約】【課題】磁気センサを用いて表示部の状態検知を行うことが可能であって、小型かつ組み立て容易な電子機器を提供する。【解決手段】電子機器（１００）は、本体部に対して第１の軸（４５）を中心とした第１の方向および第２の軸（４６）を中心とした第２の方向に回動可能な表示部（４１）と、磁場を発生する磁石（５２）と、磁場に基づいて第１の方向に関する表示部の第１の状態を検知する第１のセンサ（５０）と、磁場に基づいて第２の方向に関する表示部の第２の状態を検知する第２のセンサ（５１）と、磁場に基づいて表示部の第３の状態を検知する第３のセンサ（３１）と、第１の状態と第２の状態と第３の状態とに基づいて表示部の表示状態を制御する制御部（３０）とを有する。【選択図】図３（ｂ）
2018072429.tif 000002
【特許請求の範囲】
【請求項１】
本体部に対して、第１の軸を中心とした第１の方向および第２の軸を中心とした第２の方向に回動可能な表示部と、
磁場を発生する磁石と、
前記磁場に基づいて、前記第１の方向に関する前記表示部の第１の状態を検知する第１のセンサと、
前記磁場に基づいて、前記第２の方向に関する前記表示部の第２の状態を検知する第２のセンサと、
前記磁場に基づいて、前記表示部の第３の状態を検知する第３のセンサと、
前記第１の状態と前記第２の状態と前記第３の状態とに基づいて、前記表示部の表示状態を制御する制御部と、を有することを特徴とする電子機器。
【請求項２】
前記第１の軸および前記第２の軸は互いに垂直であり、
前記第１の方向は、前記本体部に対する前記表示部の開閉方向であり、
前記第２の方向は、前記本体部に対する前記表示部の回転方向であり、
前記第１のセンサは、前記第１の状態として、前記本体部に対する前記表示部の開閉状態を検知し、
前記第２のセンサは、前記第２の状態として、前記本体部に対する前記表示部の回転状態を検知し、
前記第３のセンサは、前記第３の状態として、前記本体部に対する前記表示部の閉じ状態を検知することを特徴とする請求項１に記載の電子機器。
【請求項３】
前記表示部は、ヒンジ部を介して前記本体部に対して回動可能な可動式表示装置に保持されており、
前記第１のセンサ、前記第２のセンサ、および、前記第３のセンサは、前記本体部の内部に設けられており、
前記磁石は、前記可動式表示装置の内部に設けられていることを特徴とする請求項１または２に記載の電子機器。
【請求項４】
前記磁石の着磁方向は、前記第１の軸に沿った方向に対して垂直であることを特徴とする請求項３に記載の電子機器。
【請求項５】
前記第１のセンサは、前記磁石の前記着磁方向に対して傾斜して配置されていることを特徴とする請求項４に記載の電子機器。
【請求項６】
前記磁石は、前記可動式表示装置の中心よりも前記ヒンジ部に近い位置に設けられており、
前記第１のセンサおよび前記第２のセンサは、前記第１の軸の上に設けられていることを特徴とする請求項５に記載の電子機器。
【請求項７】
前記第１のセンサは、前記磁石の前記着磁方向に対して傾斜した方向の前記磁場を検知し、
前記第２のセンサは、前記第１の軸に平行な方向の前記磁場を検知することを特徴とする請求項５または６に記載の電子機器。
【請求項８】
前記第３のセンサは、前記第１の軸からずれた位置に設けられていることを特徴とする請求項７に記載の電子機器。
【請求項９】
前記第１のセンサおよび前記第２のセンサのそれぞれを含む第１の領域と、前記第３のセンサを含む第２の領域とは、前記第２の軸に関して対称な位置に設けられていることを特徴とする請求項１乃至８のいずれか１項に記載の電子機器。
【請求項１０】
前記第１のセンサの中心から前記第２の軸までの距離と、前記磁石の中心から該第２の軸までの距離とは互いに同一であることを特徴とする請求項１乃至９のいずれか１項に記載の電子機器。
【請求項１１】
撮像光学系を介して形成された光学像を光電変換する撮像素子と、
本体部に対して、第１の軸を中心とした第１の方向および第２の軸を中心とした第２の方向に回動可能な表示部と、
磁場を発生する磁石と、
前記磁場に基づいて、前記第１の方向に関する前記表示部の第１の状態を検知する第１のセンサと、
前記磁場に基づいて、前記第２の方向に関する前記表示部の第２の状態を検知する第２のセンサと、
前記磁場に基づいて、前記表示部の第３の状態を検知する第３のセンサと、
前記第１の状態と前記第２の状態と前記第３の状態とに応じて、前記撮像素子により取得される画像の前記表示部への表示状態を変更する制御部と、を有することを特徴とする撮像装置。
【発明の詳細な説明】
【技術分野】
【０００１】
本発明は、可動式の表示装置を有する電子機器に関する。
【背景技術】
【０００２】
従来から、電子機器本体に対して開閉および回転可能な表示部を有するデジタルカメラやビデオカメラなどの電子機器が知られている。このような電子機器は、表示部の開閉状態および回転状態に応じて、表示部に表示される画像の上下および左右の反転切り替えや、画像の点灯および消灯の切り替えを行う。また電子機器は、省スペース化や非接触による信頼性向上のため、磁石および磁気センサを用いて表示部の開閉状態や回転状態の検知（状態検知）を行うことがある。特許文献１には、表示部の開閉状態や回転状態に応じて表示部の表示状態を切り替える電子機器が開示されている。
【先行技術文献】
【特許文献】
【０００３】
【特許文献１】特開２０１４−３８１９０号公報
【発明の概要】
【発明が解決しようとする課題】
【０００４】
しかしながら、特許文献１の電子機器では、二つの磁石を用いて表示部の表示状態を切り替える。このため、表示部の外形を小型化することが困難である。また、二つの磁石のサイズが互いに近似していると、誤組立が発生しやすい。
【０００５】
そこで本発明は、磁気センサを用いて表示部の状態検知を行うことが可能であって、小型かつ組み立て容易な電子機器および撮像装置を提供する。
【課題を解決するための手段】
【０００６】
本発明の一側面としての電子機器は、本体部に対して、第１の軸を中心とした第１の方向および第２の軸を中心とした第２の方向に回動可能な表示部と、磁場を発生する磁石と、前記磁場に基づいて、前記第１の方向に関する前記表示部の第１の状態を検知する第１のセンサと、前記磁場に基づいて、前記第２の方向に関する前記表示部の第２の状態を検知する第２のセンサと、前記磁場に基づいて、前記表示部の第３の状態を検知する第３のセンサと、前記第１の状態と前記第２の状態と前記第３の状態とに基づいて、前記表示部の表示状態を制御する制御部とを有する。
【０００７】
本発明の他の側面としての撮像装置は、撮像光学系を介して形成された光学像を光電変換する撮像素子と、前記電子機器とを有する。
【０００８】
本発明の他の目的及び特徴は、以下の実施形態において説明される。
【発明の効果】
【０００９】
本発明によれば、磁気センサを用いて表示部の状態検知を行うことが可能であって、小型かつ組み立て容易な電子機器および撮像装置を提供することができる。
【図面の簡単な説明】
【００１０】
【図１】本実施形態における撮像装置の外観斜視図である。
【図２】本実施形態における表示装置を開いた状態での撮像装置の背面斜視図である。
【図３（ａ）】本実施形態における可動式表示装置の動作状態を示す図である。
【図３（ｂ）】本実施形態における可動式表示装置の動作状態を示す図である。
【図３（ｃ）】本実施形態における可動式表示装置の動作状態を示す図である。
【図３（ｄ）】本実施形態における可動式表示装置の動作状態を示す図である。
【図４】本実施形態における可動式表示装置の表示状態を示す図である。
【図５】本実施形態における撮像装置のブロック図である。
【図６（ａ）】本実施形態において、図３（ｄ）の状態における撮像装置の背面図である。
【図６（ｂ）】本実施形態において、図６（ａ）に示される撮像装置の拡大図である。
【図６（ｃ）】本実施系地において、図６（ｂ）の線Ａ−Ａに沿った断面図である。
【図６（ｄ）】本実施形態において、図３（ａ）の状態における撮像装置の背面図である。
【図６（ｅ）】本実施形態において、図６（ｄ）に示される撮像装置の線Ｂ−Ｂに沿った拡大断面図である。
【図７】本実施形態における可動式表示装置の動作状態と各センサにより検知される磁束密度との関係を示す図である。
【図８】本実施形態における可動式表示装置の動作状態、ＬＣＤパネルの表示状態、および、各センサの検知状態の関係を示す図である。
【発明を実施するための形態】
【００１１】
以下、本発明の実施形態について、図面を参照しながら詳細に説明する。
【００１２】
まず、図１および図２を参照して、本実施形態における電子機器（撮像装置）について説明する。図１は、撮像装置１００（一眼レフカメラ）の外観斜視図であり、図１（ａ）は撮像装置１００を正面から見た図、図１（ｂ）は背面から見た図をそれぞれ示している。図２は、可動式表示装置４０（表示装置）を開いた状態での撮像装置１００の背面斜視図である。
【００１３】
撮像装置１００において、シャッターボタン６１は、ユーザが撮影指示を行うための操作部である。モード切り替えスイッチ６０は、各種モードを切り替えるための操作部である。端子カバー９１は、外部機器との接続ケーブルと撮像装置１００とを接続する接続ケーブルなどのコネクタ（不図示）を保護するカバーである。メイン電子ダイヤル７１は回転操作部材である。メイン電子ダイヤル７１を回すことにより、シャッタ速度や絞りなどの各種設定値を変更することができる。電源スイッチ７２は、撮像装置１００の電源のＯＮおよびＯＦＦを切り替える操作部材である。サブ電子ダイヤル７３は、回転操作部材であり、選択枠の移動や画像送りなどを行う。ＳＥＴボタン７６は、押しボタンであり、主に選択項目の決定などに用いられる。
【００１４】
クイックリターンミラー１２は、システム制御部３０（図５参照）からの指令に基づいて、不図示のアクチュエータにより回動される。通信端子１０は、撮像装置１００が不図示の着脱可能な撮影レンズ（交換レンズ）と通信を行うための通信端子である。接眼ファインダ１６は、ユーザが不図示のフォーカシングスクリーンを観察することにより、撮影レンズを介して取得された被写体の光学像の焦点や構図を確認するための覗き込み型のファインダである。グリップ部９０は、ユーザが撮像装置１００を構えた際に右手で握りやすい形状を有する保持部である。
【００１５】
可動式表示装置４０は、ＬＣＤパネル４１（表示部）を備えている。可動式表示装置４０は、ヒンジ部４３を介して、開閉軸４５（第１の軸）を中心とした左右回転方向（第１の方向）、および、回転軸４６（第２の軸）を中心とした上下回転方向（回転方向、第２の方向）の２軸で回動可能に支持されている。第１の方向は、撮像装置１００の本体部（撮像装置１００のうち可動式表示装置４０を以外の部分）に対するＬＣＤパネル４１の開閉方向である。第２の方向は、本体部に対するＬＣＤパネル４１の回転方向である。本実施形態において、開閉軸４５と回転軸４６は互いに垂直である。このようにＬＣＤパネル４１は、ヒンジ部４３を介して撮像装置１００の本体部に対して第1の方向および第２の方向のそれぞれに回動可能な可動式表示装置４０に保持されている。
【００１６】
収納面４４は、可動式表示装置４０の収納時において可動式表示装置４０と対向する面であり、可動式表示装置４０が開いている状態（開状態）においては背面カバー１９に設けられた凹形状の底面となっている。背面カバー１９には、係止爪４７が設けられており、可動式表示装置４０が背面カバー１９に収納される際に係止することが可能である。収納面４４には弾性部材４８が設けられている。弾性部材４８は、可動式表示装置４０が収納されて係止爪４７により係止されている状態において、圧縮状態となり、可動式表示装置４０を係止爪４７に付勢する。
【００１７】
本実施形態において、可動式表示装置４０が収納面４４とＬＣＤパネル４１とが対向する形で収納された状態（図１（ｂ）の状態）を、開閉角度０°、回転角度０°と定義する。本実施形態において、可動式表示装置４０は、開閉角度０°〜１７５°の範囲内、かつ、回転角度−９０°〜１８０°の範囲内（すなわち、図２に示されている＋方向に１８０°まで、−方向に９０°までの回転角度の範囲内）において回動可能である。ただし本実施形態は、これに限定されるものではなく、可動式表示装置４０の回動可能な範囲については、目的に応じて適宜変更可能である。
【００１８】
次に、図３（ａ）〜図３（ｄ）および図４を参照して、本実施形態における可動式表示装置４０の動作状態および表示状態について説明する。図３（ａ）〜図３（ｄ）は、可動式表示装置４０の動作状態を示す図である。図４は、可動式表示装置４０の表示状態を示す図であり、図３の各状態でのライブビュー撮影時におけるＬＣＤパネル４１の表示画像を示している。
【００１９】
撮像装置１００の本体部の内部には、可動式表示装置４０の動作状態を検知するために用いられる開閉センサ５０（第１のセンサ）、回転センサ５１（第２のセンサ）、および、閉じセンサ３１（第３のセンサ）が設けられている。可動式表示装置４０の内部には、各センサを反応させるための磁場を発生する磁石５２が設けられている。図３（ａ）〜図３（ｄ）には、開閉センサ５０、回転センサ５１、および、閉じセンサ３１が背面カバー１９を透過して見えるように、また、磁石５２が可動式表示装置４０を透過して見えるように、それぞれ示されている。
【００２０】
開閉センサ５０は、磁石５２により発生した磁場に基づいて、開閉方向に関するＬＣＤパネル４１の動作状態（第１の状態）、すなわち本体部に対するＬＣＤパネル４１の開閉状態を検知する。回転センサ５１は、磁石５２により発生した磁場に基づいて、回転方向に関するＬＣＤパネル４１の動作状態（第２の状態）、すなわち本体部に対するＬＣＤパネル４１の回転状態を検知する。閉じセンサ３１は、磁石５２により発生した磁場に基づいて、ＬＣＤパネル４１の動作状態（第３の状態）、すなわち本体部に対するＬＣＤパネル４１の閉じ状態を検知する。
【００２１】
本実施形態において、開閉センサ５０および回転センサ５１として、それぞれ、実装面に対して平行な磁場を検知する巨大磁気抵抗（Ｇｉａｎｔ  ＭａｇｎｅｔｏＲｅｓｉｓｔａｎｃｅ：ＧＭＲ）素子が用いられる。また本実施形態において、閉じセンサ３１として、実装面に対して垂直な磁場を検知するホール素子が用いられる。ただし本実施形態は、これに限定されるものではなく、各センサとして他の種類の素子を用いてもよい。
【００２２】
本実施形態において、磁石５２は、可動式表示装置４０の中心よりもヒンジ部４３（すなわち開閉軸４５）に近い位置に設けられている。換言すると、磁石５２と開閉軸４５との間の距離は、可動式表示装置４０（ＬＣＤパネル４１）の中心と開閉軸４５との間の距離よりも短い。また本実施形態において、開閉センサ５０および回転センサ５１は、開閉軸４５の上（またはその近傍）に設けられている。一方、閉じセンサ３１は、開閉軸４５からずれた位置に設けられている。また本実施形態において、開閉センサ５０および回転センサ５１のそれぞれを含む第１の領域と、閉じセンサ３１を含む第２の領域とは、回転軸４６に関して対称な位置に設けられている。ここで第１の領域とは、図３（ａ）〜図３（ｄ）のそれぞれにおいて、回転軸４６の上側であって回転軸４６（または回転軸４６の延長線）から所定の距離に位置する領域である。第２の領域とは、回転軸４６の下側であって回転軸４６から所定の距離に位置する領域である。
【００２３】
図３（ａ）の状態において、可動式表示装置４０は、ＬＣＤパネル４１が収納面４４と対向するように収納されている（開閉角度０°、回転角度０°）。この状態において、閉じセンサ３１は可動式表示装置４０が閉じている状態（閉じ状態）であることを検知し、システム制御部３０（図５参照）は、ＬＣＤパネル４１を消灯する（消灯状態）。この状態から開閉軸４５を中心として可動式表示装置４０を開いていくと、所定の角度において、閉じセンサ３１による閉じ状態の検知がＯＦＦになり、システム制御部３０はＬＣＤパネル４１を点灯する（点灯状態）。図３（ｂ）は、開閉軸４５を中心として可動式表示装置４０を開ききった状態（開閉角度１７５°、回転角度０°）を示している。本実施形態において、図３（ｂ）の可動式表示装置４０の状態でのＬＣＤパネル４１の表示状態を通常表示状態と呼ぶ。図４（ａ）は、通常表示状態におけるＬＣＤパネル４１を示している。
【００２４】
図３（ｂ）の状態から回転軸４６を中心として可動式表示装置４０を＋方向に回転させると、所定の角度において、開閉センサ５０および回転センサ５１が磁石５２により発生した磁場を検知する。その後、可動式表示装置４０を＋方向に更に回転させると、図３（ｃ）に示されるように、可動式表示装置４０は＋１８０°回転した状態となる（開閉角度１７５°、回転角度＋１８０°）。図４（ｂ）は、開閉センサ５０および回転センサ５１が磁石５２の磁場を検知している状態でのＬＣＤパネル４１の表示状態を示している。図４（ｂ）に示されるＬＣＤパネル４１の表示状態は、システム制御部３０により制御され、通常表示状態から表示画像の上下が反転した状態（上下反転表示、すなわちユーザから見ると鏡像表示）となり、ユーザが自分撮りをするのに適した表示状態である。
【００２５】
図３（ｃ）の状態から開閉軸４５を中心として可動式表示装置４０を閉じていくと、所定の角度において、開閉センサ５０の検知がなされなくなり（開閉センサ５０の検知がＯＦＦとなり）、回転センサ５１のみが検知された状態となる。その後、可動式表示装置４０を更に閉じると、図３（ｄ）に示されるように、可動式表示装置４０はＬＣＤパネル４１がユーザに見えるように背面カバー１９の凹部に収納された状態となる（開閉角度０°、回転角度１８０°）。図４（ｃ）は、回転センサ５１のみが検知された状態でのＬＣＤパネル４１の表示状態を示している。ＬＣＤパネル４１の表示状態は、システム制御部３０により制御され、通常表示状態から上下左右が反転した状態（上下左右反転表示）となる。この状態では、背面に非可動式の表示装置を備えた電子機器と同様の使用感になる。
【００２６】
次に、図５を参照して、ＬＣＤパネル４１の表示制御に関する撮像装置１００の構成について説明する。図５は、撮像装置１００のブロック図である。システム制御部３０（制御部）は、ＣＰＵなどのプロセッサを含み、撮像装置１００の全体を制御し、各部の動作やＬＣＤパネル４１の画像表示などの制御を行う。操作部３２は、シャッターボタン６１やメイン電子ダイヤル７１などを含む、ユーザからの操作を受け付ける入力部としての各種操作部材である。メモリ３３は、制御プログラムや各種データを記憶している記憶部である。撮像素子７０は、ＣＭＯＳセンサやＣＣＤセンサを備え、撮影レンズ（撮像光学系）を介して形成された光学像を光電変換して画像（画像データ）を取得する。システム制御部３０は、メモリ３３に記憶されている制御プログラムおよびデータを読み出し、この制御プログラムおよびデータに基づいてＬＣＤパネル４１の画像表示制御などの各種制御を行う。システム制御部３０は、ＬＣＤパネル４１の動作状態（第１の状態と第２の状態と第３の状態との組み合わせ）に基づいて、ＬＣＤパネル４１の表示状態を制御する。すなわちシステム制御部３０は、開閉センサ５０と回転センサ５１と閉じセンサ３１とから取得した信号に基づいて（可動式表示装置４０の動作状態に応じて）、撮像素子７０により取得される画像のＬＣＤパネル４１への表示状態を変更する。
【００２７】
次に、図６（ａ）〜図６（ｅ）を参照して、開閉センサ５０、回転センサ５１、閉じセンサ３１、および、磁石５２の配置について詳述する。図６（ａ）は、図３（ｄ）の状態における撮像装置１００の背面図である。図６（ｂ）は、図６（ａ）中の範囲１０１の拡大図であり、開閉センサ５０、回転センサ５１、磁石５２、および、それらの周辺以外の領域を省略して示している。図６（ｃ）は、図６（ｂ）中の線Ａ−Ａに沿った断面図である。
【００２８】
図６（ｂ）において、磁石５２は、その左側をＮ極、右側をＳ極として、開閉軸４５に沿った方向（Ｙ方向）に対して垂直な方向（Ｘ方向）が着磁方向であるように配置される。開閉センサ５０および回転センサ５１は、ＦＰＣ（フレキシブルプリント基板）５３に実装されている。ＦＰＣ５３は、樹脂部品５４に両面テープによって貼り付けられている。図６（ｃ）に示されるように、樹脂部品５４における開閉センサ５０の貼り付け面は、図６中のＸＹ平面に対して角度θで傾斜しており、開閉センサ５０は磁石５２の着磁方向に対して傾斜して配置されている（取り付けられている）。これにより、開閉センサ５０は、ＸＺ面内で所定の角度θで傾斜した方向（図６（ｃ）の矢印５５の方向）の磁場（磁石５２の着磁方向に対して傾斜した方向の磁場）を検知するように配置される。
【００２９】
回転センサ５１は、Ｙ方向（図６（ｂ）の矢印５６の方向）の磁場（開閉軸４５に平行な方向の磁場）を検知するように配置される。開閉センサ５０および回転センサ５１の磁場検知の測定中心は、いずれも可動式表示装置４０の開閉軸４５上に配置されている。開閉センサ５０が磁石５２からの磁場をより強く検知するため、開閉センサ５０の中心（磁場検知の測定中心）から可動式表示装置４０の回転軸４６までの距離と、磁石５２の中心から回転軸４６までの距離とは互いに略同一に設定することが好ましい。なお略同一とは、厳密に同一でなくても、実質的に同一であると評価される場合を含む意味である。また、このような配置において、回転センサ５１の中心（磁場検知の測定中心）は、開閉軸４５上における磁石５２からの磁場を最も強く受けるような位置で、開閉センサ５０から離して配置することが好ましい。
【００３０】
図６（ｄ）は、図３（ａ）の状態における撮像装置１００の背面図である。図６（ｅ）は、図６（ｄ）中の範囲２０１を拡大した、線Ｂ−Ｂに沿った断面図であり、閉じセンサ３１、磁石５２、および、それらの周辺以外の領域を省略して示している。
【００３１】
図６（ｅ）において、磁石５２は、その左側をＮ極、右側をＳ極とし、Ｘ方向が着磁方向であるように配置されている。閉じセンサ３１は、ＦＰＣ２０４に実装され、ＦＰＣ２０４は背面カバー１９に成形されたボス２０３に圧入されることで位置決めが行われ、固定される。閉じセンサ３１は、磁石５２からの磁場のＺ方向（図６（ｅ）の矢印５７の方向）を検知するように配置される。このとき、磁石５２のＳ極の磁束は、閉じセンサ３１として用いられるホールＩＣの実装面側から入る状態である。本実施形態において、閉じセンサ３１として、天面側からのＮ極磁束を検知するＮ極検知タイプのホールＩＣが用いられるが、これに限定されるものではない。磁石５２と閉じセンサ３１とのＸ方向の距離を変更することにより、閉じセンサ３１の検知角度を変えることが可能である。
【００３２】
次に、図７を参照して、可動式表示装置４０の動作状態と各センサにより検知される磁束密度との関係について説明する。図７は、可動式表示装置４０の動作状態と各センサにより検知される磁束密度との関係を示す図である。図７（ａ）において、横軸は開閉角度［ｄｅｇ］、縦軸は磁束密度［ｍＴ］をそれぞれ示している。図７（ｂ）、（ｃ）、（ｄ）において、横軸は回転角度［ｄｅｇ］、縦軸は磁束密度［ｍＴ］をそれぞれ示している。
【００３３】
図７（ａ）は、図３（ｂ）の状態から図３（ｃ）の状態へ可動式表示装置４０を動作させた場合における、回転センサ５１により検知される磁束密度の変化を示している。図７（ａ）は、回転センサ５１により検知される磁束密度の閾値（回転センサ５１のＯＮ／ＯＦＦ状態の閾値）を合わせて示している。図３（ｂ）の状態から図３（ｃ）の状態、すなわち開閉角度を１７５°に固定した状態で回転角度を０°から＋１８０°へ変化させていくと、回転角度１６５°付近において、磁石５２により発生した磁束密度が回転センサ５１の閾値を超える。このため回転センサ５１は、回転角度１６５°付近でＯＮとなる。一方、可動式表示装置４０を逆方向に回転して回転角度−９０°にすると、磁石５２による磁束密度は回転センサ５１の閾値を超えないため、回転センサ５１はＯＦＦのままとなる。なお本実施形態において、回転センサ５１の閾値は、これに限定されるものではなく、回転角度１６５°以外の角度に相当する閾値を設定してもよい。
【００３４】
図７（ｂ）は、図３（ｄ）の状態から図３（ｃ）の状態へ可動式表示装置４０を動作させた場合における、開閉センサ５０により検知される磁束密度の変化を示している。図７（ｂ）は、開閉センサ５０により検知される磁束密度の閾値（開閉センサ５０のＯＮ／ＯＦＦ状態の閾値）を合わせて示している。図３（ｄ）の状態から図３（ｃ）の状態、すなわち回転角度を１８０°に固定した状態で開閉角度を０°から１７５°へ変化させていくと、開閉角度１６３°付近において、磁石５２により発生した磁束密度が開閉センサ５０の閾値を超える。このため開閉センサ５０は、開閉角度１６３°付近でＯＮとなる。なお本実施形態において、開閉センサ５０の閾値は、これに限定されるものではなく、開閉角度１６３°以外の角度に相当する閾値を設定してもよい。開閉角度を変更しようとする場合、例えば、開閉センサ５０の取り付けの傾斜（図６（ｃ）中の角度θ）を変えればよい。例えば、１６３°付近から１７０°付近に開閉センサ５０の閾値を変更しようとする場合、図６（ｃ）に示される樹脂部品５４の角度θを増加するように変更し、開閉センサ５０の測定中心位置を変更することなく磁場検知方向をＸＺ面内で約７°回転させる。
【００３５】
このように本実施形態において、開閉センサ５０により検知される角度（開閉角度）の閾値を所望の角度へ変更する際に、シミュレーションなどを行うことなく、直感的かつ容易に設計することが可能になる。また、この構成によれば、開閉センサ５０の位置を動かすことなく、取り付けの傾斜を変更するのみであるため、例えば外装が膨らむことを回避することができ、電子機器の大型化を回避することができる。
【００３６】
図７（ｃ）は、図３（ｄ）の状態から図３（ｃ）の状態に可動式表示装置４０を動作させた場合における、回転センサ５１により検知される磁束密度の変化を示している。図７（ｃ）には、回転センサ５１により検知される磁束密度の閾値（回転センサ５１のＯＮ／ＯＦＦ状態の閾値）も合わせて示している。図３（ｄ）の状態から図３（ｃ）の状態、すなわち回転角度を＋１８０°に固定した状態で開閉角度を０°から１７５°へ変更していくと、図７（ｃ）に示されるように、磁石５２により発生した磁束密度は常に回転センサ５１のしきい値を超えている。このため回転センサ５１は常にＯＮとなる。これは、図３（ｄ）から図３（ｃ）への変更中、回転センサ５１が検知する磁束密度が回転センサ５１の閾値を常に超えるように、磁石５２と回転センサ５１との位置関係（磁石５２の着磁方向と回転センサ５１の磁場検知方向との関係）が設定されるためである。
【００３７】
図７（ｄ）は、図３（ｂ）の状態から図３（ａ）の状態に可動式表示装置４０を動作させた場合における、閉じセンサ３１により検知される磁束密度の変化を示している。図７（ｄ）には、閉じセンサ３１により検知される磁束密度の閾値を合わせて示している。可動式表示装置４０の開閉角度を小さくする方向、すなわち可動式表示装置４０を閉じる方向に移動すると、閉じセンサ３１により検知される磁束密度が徐々に大きくなる。本実施形態では、開閉角度が約２７°の場合において、閉じセンサ３１により検知される磁束密度が閉じセンサ３１の閾値を超え、閉じセンサ３１がＯＮとなる。なお、図３（ｂ）の状態から図３（ａ）の状態へ移動する間、磁石５２は開閉センサ５０および回転センサ５１のそれぞれに対して十分に距離を保っている。このため、この間に開閉センサ５０および回転センサ５１により検知される磁束密度は、それぞれの閾値を超えない。
【００３８】
次に、図８を参照して、可動式表示装置４０の動作状態、ＬＣＤパネル４１の表示状態、開閉センサ５０、回転センサ５１、および、閉じセンサ３１のそれぞれの検知状態との関係について説明する。図８は、可動式表示装置４０の動作状態、ＬＣＤパネルの表示状態、および、各センサの検知状態の関係を示す図である。
【００３９】
可動式表示装置４０が図３（ａ）の状態、または、図３（ｂ）の状態である場合、前述のように、開閉センサ５０および回転センサ５１は共にＯＦＦである。一方、閉じセンサ３１は、図３（ａ）の状態でＯＮとなり、ＬＣＤパネル４１は消灯される（消灯状態）。図３（ｂ）の状態において、システム制御部３０は、撮像素子７０により取得される画像（画像データ）をＬＣＤパネル４１に通常表示状態で表示するように画像表示制御を行う。
【００４０】
図３（ｃ）の状態の場合、前述のように、開閉センサ５０および回転センサ５１は共にＯＮである。この状態において、システム制御部３０は、撮像素子７０により取得される画像をＬＣＤパネル４１に上下反転表示状態で表示させるように画像表示制御を行う。この状態は、ユーザが自分撮りをするのに適した表示状態である。
【００４１】
図３（ｄ）の状態の場合、前述のように、開閉センサ５０はＯＦＦ、回転センサ５１はＯＮである。この状態において、システム制御部３０は、撮像素子７０により取得される画像をＬＣＤパネル４１に上下左右反転表示状態で表示させるように画像表示制御を行う。この状態では、背面に非可動式の表示装置を備えた電子機器と同様の使用感になる。なお図８は、開閉センサ５０がＯＮ、回転センサ５１がＯＦＦの場合を示していないが、この状態の場合にはＬＣＤパネル４１を通常表示状態とすればよい。
【００４２】
本実施形態において、可動式表示装置４０の動作状態を検知する機能を有する電子機器において、開閉センサ５０、回転センサ５１、閉じセンサ３１、および、磁石５２の配置レイアウトを適切に設定している。このため本実施例の電子機器は、１つの磁石５２のみを用いて複数のセンサ（回転状態、開閉状態、および、閉じ状態を検知する３つのセンサ）の動作を行うことができる。本実施形態によれば、磁気センサを用いて表示部の状態検知を行うことが可能であって、小型かつ組み立て容易な電子機器および撮像装置を提供することができる。
【００４３】
以上、本発明の好ましい実施形態について説明したが、本発明はこれらの実施形態に限定されず、その要旨の範囲内で種々の変形及び変更が可能である。
【００４４】
本実施形態では、電子機器として、レンズ交換式の撮像装置（一眼レフカメラやミラーレスカメラ）について説明したが、本実施形態は、これに限定されるものではない。本実施形態は、レンズ一体型の撮像装置（デジタルカメラや、撮像装置を備えた携帯端末）、または、可動式表示装置を有する他の電子機器にも適用可能である。
【符号の説明】
【００４５】
３０    システム制御部（制御部）
３１    閉じセンサ（第３のセンサ）
４１    ＬＣＤパネル（表示部）
５０    開閉センサ（第１のセンサ）
５１    回転センサ（第２のセンサ）
５２    磁石
１００  撮像装置（電子機器）
【図１】
2018072429.tif 000003
【図２】
2018072429.tif 000004
【図３（ａ）】
2018072429.tif 000005
【図３（ｂ）】
2018072429.tif 000006
【図３（ｃ）】
2018072429.tif 000007
【図３（ｄ）】
2018072429.tif 000008
【図４】
2018072429.tif 000009
【図５】
2018072429.tif 000010
【図６（ａ）】
2018072429.tif 000011
【図６（ｂ）】
2018072429.tif 000012
【図６（ｃ）】
2018072429.tif 000013
【図６（ｄ）】
2018072429.tif 000014
【図６（ｅ）】
2018072429.tif 000015
【図７】
2018072429.tif 000016
【図８】
2018072429.tif 000017